(57)【要約】【課題】平板状配線部材の他の配線基板への取付けに用いられるにあたり、全体の低背化と複数のコンタクトについての狭ピッチ化とを、それらに起因する不都合を確実に回避できるもとで効果的に図ることができるコネクタ装置を提供する。【解決手段】固定アーム部２２，可動アーム部２３及び連結部２４を有して絶縁ハウジング１２内に配されたコンタクト２０と、平板状配線部材の接続端子部１５が絶縁ハウジング１２内に差し込まれたもとで、コンタクト２０に、接続端子部１５を可動アーム部２３により押圧して、接続端子部１５に設けられた接触接続端子を固定アーム部２２に設けられた突出接点部２５に押圧接触させるアクチュエータ４０とを備え、コンタクト２０の固定アーム部２２に、絶縁ハウジング１２内に差し込まれた接続端子部１５における接触接続端子を含む配線パターン部以外の部分に当接する突起部２６が設けられる。【選択図】図３
2010135085.tif 000002
【特許請求の範囲】
【請求項１】
配線部材差込み部が設けられた絶縁ハウジングと、
各々が固定アーム部，可動アーム部及び該固定アーム部と可動アーム部とを相互連結する連結部を有して形成されて上記絶縁ハウジング内に配列配置され、各々の固定アーム部及び可動アーム部が上記配線部材差込み部を通じて上記絶縁ハウジング内に差し込まれた平板状配線部材を挟む位置に配された複数のコンタクトと、
上記絶縁ハウジングに対して回動可能に設けられ、上記複数のコンタクトの夫々に係合して、平板状配線部材が上記配線部材差込み部を通じて上記絶縁ハウジング内に差し込まれたもとで、上記複数のコンタクトの各々に、差し込まれた上記平板状配線部材を上記可動アーム部により押圧して、該平板状配線部材に設けられた接触接続端子を、上記固定アーム部における上記連結部から離隔した部位に設けられた突出接点部に押圧接触させる状態をとらせるアクチュエータと、
を備えて成り、
上記複数のコンタクトの各々もしくは一部のものが、上記固定アーム部における上記連結部の近傍の部位に、上記配線部材差込み部を通じて上記絶縁ハウジング内に差し込まれた上記平板状配線部材における上記接触接続端子を含む配線パターン部以外の部分に当接する突起部が設けられたものとされることを特徴とするコネクタ装置。
【請求項２】
上記複数のコンタクトの各々もしくは一部のものの上記固定アーム部における上記連結部の近傍の部位に設けられた上記突起部が、上記複数のコンタクトの配列方向に沿って配列配置されていることを特徴とする請求項１記載のコネクタ装置。
【請求項３】
上記複数のコンタクトが第１のグループと第２のグループとを含み、上記第１のグループに属するコンタクトの夫々における上記固定アーム部に設けられた突出接点部と、上記第２のグループに属するコンタクトの夫々における上記固定アーム部に設けられた突出接点部とが、平板状配線部材の上記配線部材差込み部を通じた上記絶縁ハウジング内への差込方向における位置を互いに異ならせていることを特徴とする請求項１記載のコネクタ装置。
【請求項４】
上記複数のコンタクトのうちの上記第１のグループに属するものと上記第２のグループに属するものとが交互に配されることを特徴とする請求項３記載のコネクタ装置。
【請求項５】
上記アクチュエータが、上記複数のコンタクトの各々の上記可動アーム部に係合して、該可動アーム部に、上記配線部材差込み部を通じて上記絶縁ハウジング内に差し込まれた平板状配線部材を押圧する状態をとらせるカム部を備えることを特徴とする請求項１記載のコネクタ装置。
【請求項６】
上記カム部が、上記アクチュエータの上記絶縁ハウジングに対する回動に伴って、上記複数のコンタクトの各々の上記可動アーム部に係合したもとで回動することを特徴とする請求項５記載のコネクタ装置。
【発明の詳細な説明】
【技術分野】
【０００１】
本願の特許請求の範囲に記載された発明は、フレキシブル印刷配線基板（ＦＰＣ）やフレキシブルフラットケーブル（ＦＦＣ）等の平板状配線部材に設けられた接続端子部を、他の配線基板等とされる他の電気部品に電気的に接続された状態とするためのコネクタ装置に関する。
【背景技術】
【０００２】
携帯電話機等の電子機器に実装される、比較的小型なフレキシブル印刷配線基板あるいはフレキシブルフラットケーブル等の平板状配線部材は、各種の電気部品が装着される主印刷配線基板への取付けが、当該主印刷配線基板に電気的接続がなされて固着されたコネクタ装置が用いられて行われるものとされることが多い。斯かるコネクタ装置は、フレキシブル印刷配線基板あるいはフレキシブルフラットケーブル等の平板状配線部材に設けられた接続端子部に接触する導電性のコンタクトを有していて、そのコンタクトを介して、当該平板状配線部材に設けられた接続端子部を、主印刷配線基板に設けられた印刷配線部に電気的に接続する。
【０００３】
従来提案されているフレキシブル印刷配線基板あるいはフレキシブルフラットケーブル等の平板状配線部材の主印刷配線基板への取付けに用いられるコネクタ装置は、例えば、平板状配線部材の接続端子部が差し込まれる配線部材差込み部が設けられた絶縁ハウジングを有したものとされる。そして、斯かるコネクタ装置には、絶縁ハウジング内に配列配置されて設けられ、平板状配線部材の接続端子部が配線部材差込み部を通じて絶縁ハウジング内に差し込まれるとき、その接続端子部に配された複数の接触接続端子に夫々対応するものとなる複数のコンタクトと、絶縁ハウジングに対して回動可能に設けられ、複数のコンタクトの夫々に係合して、回動せしめられるとき複数のコンタクトの夫々における可動部を変位させる、複数のコンタクトに共通のアクチュエータとが備えられる。
【０００４】
複数のコンタクトの各々は、導電性の弾性板状材料によって形成され、絶縁ハウジングに固定される部分である固定部とそれに連結部を介して連結される可動部とを有するものとされる。そして、固定部は、主印刷配線基板に設けられた印刷配線部に電気的に接続され、また、可動部は、アクチュエータの回動動作に応じて変位せしめられる。
【０００５】
このようなコネクタ装置にあっては、絶縁ハウジング内に配線部材差込み部を通じて平板状配線部材の接続端子部が差し込まれたもとで、アクチュエータが所定の方向に回動せしめられると、アクチュエータが複数のコンタクトの夫々における可動部を変位させて、当該可動部に、絶縁ハウジング内に差し込まれた平板状配線部材の接続端子部を押圧する状態をとらせ、それにより、複数のコンタクトを平板状配線部材の接続端子部に配された複数の接触接続端子に夫々押圧接触させる。また、複数のコンタクトが平板状配線部材の接続端子部に配された複数の接触接続端子に夫々押圧接触するもとで、アクチュエータが上述の所定の方向とは逆の方向に回動せしめられると、アクチュエータが複数のコンタクトの夫々における可動部を変位させて、当該可動部に、絶縁ハウジング内に差し込まれた平板状配線部材の接続端子部を押圧しない状態をとらせ、それにより、複数のコンタクトを平板状配線部材の接続端子部に配された複数の接触接続端子に夫々押圧接触する状態から解放する（例えば、特許文献１参照。）。
【０００６】
特許文献１に示されるようなコネクタ装置においては、例えば、複数のコンタクトの夫々が、全体が「Ｈ」字状を成す板状部材とされる。斯かる「Ｈ」字状を成す板状部材における、連結部によって相互連結された一対のアーム部のうちの一方が固定部を構成する固定アーム部とされるとともに他方が可動部を構成する可動アーム部とされる。平板状配線部材の接続端子部が配線部材差込み部を通じて絶縁ハウジング内に差し込まれるときには、平板状配線部材の接続端子部が、複数のコンタクトの夫々における固定アーム部と可動アーム部との間に配される。そして、アクチュエータが回動せしめられて、複数のコンタクトの夫々における可動アーム部を変位させ、当該可動アーム部に、平板状配線部材の接続端子部を押圧するとともに固定アーム部とで挟持する状態をとらせ、それにより、複数のコンタクトを平板状配線部材の接続端子部に配された複数の接触接続端子に夫々押圧接触させる。
【０００７】
そして、特許文献１に示されるコネクタ装置にあっては、全体の小型化を図るべく、複数のコンタクトについてのピッチの狭小化を可能とする試みがなされている。斯かる試みのもとでは、複数のコンタクトが各々の形状を互いに異にするコンタクト（１４）とコンタクト（１４２）とが交互に配列配置されて構成されている。
【０００８】
そして、平板状配線部材（ＦＰＣ４０）の接続端子部が配線部材差込み部（嵌合口１８）を通じて絶縁ハウジング（ハウジング１２）内に差し込まれるとき、各コンタクト（１４）の可動アーム部と固定アーム部とにおける平板状配線部材（ＦＰＣ４０）の接続端子部を挟持する突出部が設けられた部分（接触部２２）、即ち、各コンタクト（１４）における平板状配線部材（ＦＰＣ４０）の接続端子部に配された接触接続端子に押圧接触する突出部を含む部分と、各コンタクト（１４２）の可動アーム部と固定アーム部とにおける平板状配線部材（ＦＰＣ４０）の接続端子部を挟持する突出部が設けられた部分（接触部２２）、即ち、各コンタクト（１４２）における平板状配線部材（ＦＰＣ４０）の接続端子部に配された接触接続端子に押圧接触する突出部を含む部分とが、絶縁ハウジング（ハウジング１２）に対する平板状配線部材（ＦＰＣ４０）の接続端子部の差込方向において、互いに異なる位置をとり、隣合わないものとされている。
【０００９】
また、各コンタクト（１４）の固定アーム部における主印刷配線基板に設けられた印刷配線部に電気的に接続される接続端子部（接続部２４）と、各コンタクト（１４２）の固定アーム部における主印刷配線基板に設けられた印刷配線部に電気的に接続される接続端子部（接続部２４）とが、絶縁ハウジング（ハウジング１２）に対する平板状配線部材（ＦＰＣ４０）の接続端子部の差込方向において、互いに異なる位置をとり、隣合わないものとされている。
【００１０】
このように、各コンタクト（１４）における平板状配線部材（ＦＰＣ４０）の接続端子部に配された接触接続端子に夫々押圧接触する突出部が設けられた部分と、各コンタクト（１４２）における平板状配線部材（ＦＰＣ４０）の接続端子部に配された複数の接触接続端子に夫々押圧接触する突出部が設けられた部分とが、隣合わない位置に配されるとともに、各コンタクト（１４）の固定アーム部における主印刷配線基板に設けられた印刷配線部に電気的に接続される接続端子部（接続部２４）と、各コンタクト（１４２）の固定アーム部における主印刷配線基板に設けられた印刷配線部に電気的に接続される接続端子部（接続部２４）とが、隣合わない位置に配されることにより、交互に配列配置される複数のコンタクト（１４）及びコンタクト（１４２）は、ピッチの狭小化が可能なものとされている。
【００１１】
【特許文献１】特開２００４−７１１６０号公報（第５〜８頁、図１〜図６）
【発明の開示】
【発明が解決しようとする課題】
【００１２】
フレキシブル印刷配線基板あるいはフレキシブルフラットケーブル等の平板状配線部材の主印刷配線基板への取付けに用いられるコネクタ装置については、今後、主印刷配線基板に装着されたもとでの主印刷配線基板上における突出高を更に小とすること、即ち、全体の更なる低背化と、配列配置される複数のコンタクトについての更なる狭ピッチ化とが望まれることになるが、上述された従来のコンタクト装置は、このような更なる低背化と複数のコンタクトについての更なる狭ピッチ化にあたって次のような不都合を伴う。
【００１３】
先ず、全体の更なる低背化にあたっては、全体が「Ｈ」字状を成す板状部材とされる各コンタクトにおける固定部を構成する固定アーム部と可動部を構成する可動アーム部の夫々に設けられた、絶縁ハウジング内に差し込まれた平板状配線部材の接続端子部を挟持する突出部の突出長が低減せしめられることになる。そのため、各コンタクトにおける固定アーム部及び可動アーム部の突出部以外の部分と絶縁ハウジング内に差し込まれた平板状配線部材の接続端子部との間のクリアランスが減少して、固定アーム部もしくは可動アーム部の突出部以外の部分が平板状配線部材の接続端子部における接触接続端子を含む配線パターン部に不所望に接触し、例えば、複数の配線パターン間の短絡を生じさせることになる虞が大となってしまう。
【００１４】
また、平板状配線部材の接続端子部が絶縁ハウジング内に差し込まれるときには、絶縁ハウジング内に差し込まれた平板状配線部材の接続端子部に配された接触接続端子とそれに対応する各コンタクトにおける固定アーム部もしくは可動アーム部との間に、微細な位置ズレが生じ得ることがある。複数のコンタクトについての更なる狭ピッチ化が図られると、それに伴って、平板状配線部材の接続端子部に配される複数の接触接続端子についての狭ピッチ化も図られることになり、上述のような平板状配線部材の接続端子部に配された接触接続端子とそれに対応する各コンタクトにおける固定アーム部もしくは可動アーム部との間の微細な位置ズレに起因して、固定アーム部もしくは可動アーム部の突出部以外の部分が、当該固定アーム部もしくは可動アーム部に対応する接触接続端子に隣接する接触接続端子に、あるいは、当該固定アーム部もしくは可動アーム部に対応する接触接続端子とそれに隣接する接触接続端子との両者に、不所望に押圧接触してしまうことになる虞も大とされる。
【００１５】
斯かる点に鑑み、本願の特許請求の範囲に記載された発明は、フレキシブル印刷配線基板あるいはフレキシブルフラットケーブル等の平板状配線部材の他の配線基板への取付けに用いられる、配線部材差込み部が設けられた絶縁ハウジングと、その絶縁ハウジング内に配列配置されて設けられる複数のコンタクトと、絶縁ハウジングに対して回動可能に設けられて複数のコンタクトに係合し、平板状配線部材が配線部材差込み部を通じて絶縁ハウジング内に差し込まれたもとで回動操作されるとき、複数のコンタクトを平板状配線部材に設けられた複数の接触接続端子に夫々押圧接触させるアクチュエータとを備えたコネクタ装置であって、全体の低背化と複数のコンタクトについての狭ピッチ化とを、それらに起因してもたらされる不都合を確実に回避できるもとで、効果的に図ることができることになるものを提供する。
【課題を解決するための手段】
【００１６】
本願の特許請求の範囲における請求項１から請求項６までのいずれかに記載された発明（以下、本発明という。）に係るコネクタ装置は、配線部材差込み部が設けられた絶縁ハウジングと、各々が固定アーム部，可動アーム部及び固定アーム部と可動アーム部とを相互連結する連結部を有して形成されて絶縁ハウジング内に配列配置され、各々の固定アーム部及び可動アーム部が配線部材差込み部を通じて絶縁ハウジング内に差し込まれた平板状配線部材を挟む位置に配された複数のコンタクトと、絶縁ハウジングに対して回動可能に設けられ、複数のコンタクトの夫々に係合して、平板状配線部材が配線部材差込み部を通じて絶縁ハウジング内に差し込まれたもとで、複数のコンタクトの各々に、差し込まれた平板状配線部材を可動アーム部により押圧して、その平板状配線部材に設けられた接触接続端子を、固定アーム部における連結部から離隔した部位に設けられた突出接点部に押圧接触させる状態をとらせるアクチュエータとを備えて成り、複数のコンタクトの各々もしくは一部のものが、固定アーム部における連結部の近傍の部位に、配線部材差込み部を通じて絶縁ハウジング内に差し込まれた平板状配線部材における接触接続端子を含む配線パターン部以外の部分に当接する突起部が設けられたことを特徴とするものとされる。
【００１７】
特に、本願の特許請求の範囲における請求項２に記載された本発明に係るコネクタ装置にあっては、複数のコンタクトの各々もしくは一部のものの固定アーム部における連結部の近傍の部位に設けられた突起部が、複数のコンタクトの配列方向に沿って配列配置されていることを特徴とするものとされる。
【００１８】
さらに、本願の特許請求の範囲における請求項３に記載された本発明に係るコネクタ装置にあっては、複数のコンタクトが第１のグループと第２のグループとを含み、第１のグループに属するコンタクトの夫々における固定アーム部に設けられた突出接点部と、第２のグループに属するコンタクトの夫々における固定アーム部に設けられた突出接点部とが、平板状配線部材の配線部材差込み部を通じた絶縁ハウジング内への差込方向における位置を互いに異ならせていることを特徴とするものとされる。
【００１９】
上述のように構成される本発明に係るコネクタ装置にあっては、平板状配線部材が配線部材差込み部を通じて絶縁ハウジング内に差し込まれて、複数のコンタクトの各々の固定アーム部及び可動アーム部により挟まれる状態におかれたもとで、アクチュエータを絶縁ハウジングに対して回動させる回動操作が行われると、アクチュエータが、それが係合する複数のコンタクトの各々に、絶縁ハウジング内に差し込まれた平板状配線部材を可動アーム部により押圧して、その平板状配線部材に設けられた接触接続端子を固定アーム部に設けられた接点部に押圧接触させる状態をとらせる。このとき、複数のコンタクトの各々もしくは一部のものの固定アーム部における連結部の近傍の部位に設けられた突起部が、絶縁ハウジング内に差し込まれた平板状配線部材における接触接続端子を含む配線パターン部以外の部分に当接して、それにより、固定アーム部における突出接点部以外の部分と平板状配線部材との間に所定のクリアランスが形成されるようになす。
【００２０】
その結果、アクチュエータにより各コンタクトの可動アーム部が平板状配線部材を押圧する状態におかれるとき、複数のコンタクトの各々もしくは一部のものの固定アーム部における連結部の近傍の部位に設けられた突起部により、固定アーム部における連結部から離隔した部位に設けられた突出接点部以外の部分と平板状配線部材との間に所定のクリアランスが形成されるもとで、平板状配線部材に設けられた接触接続端子が、固定アーム部に設けられた突出接点部に確実に押圧接触する状態におかれる。
【００２１】
そして、本願の特許請求の範囲における請求項２に記載された本発明に係るコネクタ装置の場合には、複数のコンタクトの各々もしくは一部のものの固定アーム部に設けられた突起部が、複数のコンタクトの配列方向に沿って配列配置されることにより、複数の突起部の、絶縁ハウジング内に差し込まれた平板状配線部材における接触接続端子を含む配線パターン部以外の部分への当接が、より確実に行われる。
【００２２】
さらに、本願の特許請求の範囲における請求項３に記載された本発明に係るコネクタ装置の場合には、第１のグループに属するコンタクトの夫々における固定アーム部に設けられた突出接点部と、第２のグループに属するコンタクトの夫々における固定アーム部に設けられた突出接点部とが、平板状配線部材の配線部材差込み部を通じた絶縁ハウジング内への差込方向における位置を互いに異ならせている。それにより、例えば、第１のグループに属するコンタクトと第２のグループに属するコンタクトとが交互に配されるとき、第１のグループに属するコンタクトの夫々における固定アーム部に設けられて、平板状配線部材における接触接続端子が押圧接触する突出接点部と、第２のグループに属するコンタクトの夫々における固定アーム部に設けられて、平板状配線部材における接触接続端子が押圧接触する突出接点部とが、隣合わない位置に配されることになり、複数のコンタクトについてのピッチをより一層小とすることができる。
【発明の効果】
【００２３】
上述のような本発明に係るコネクタ装置にあっては、全体のより一層の低背化を図るべく、各コンタクトにおける固定アーム部における連結部から離隔した部位に設けられて、平板状配線部材における接触接続端子が押圧接触する突出接点部が、その突出長が低減せしめられたものとされても、複数のコンタクトの各々もしくは一部のものの固定アーム部における連結部の近傍の部位に設けられた突起部によって、各コンタクトにおける固定アーム部における突出接点部を除く部分と絶縁ハウジング内に差し込まれた平板状配線部材との間に所定のクリアランスが形成されるので、各コンタクトにおける固定アーム部の突出接点部を除く部分が平板状配線部材における接触接続端子を含む配線パターン部に不所望に接触し、例えば、複数の配線パターン間の短絡を生じるさせる事態を、確実に回避することができる。
【００２４】
それに加えて、本発明に係るコネクタ装置にあっては、複数のコンタクトについてのより一層の狭ピッチ化が図られても、複数のコンタクトの各々もしくは一部のものの固定アーム部における連結部の近傍の部位に設けられた突起部によって、各コンタクトにおける固定アーム部における突出接点部以外の部分と絶縁ハウジング内に差し込まれた平板状配線部材との間に所定のクリアランスが形成されるので、平板状配線部材の絶縁ハウジング内への差込み時に生じた、平板状配線部材における接触接続端子とそれに対応する各コンタクトにおける固定アーム部との間の微細な位置ズレに起因して、固定アーム部における突出接点部を除く部分が、当該固定アーム部に対応する接触接続端子に隣接する接触接続端子に、あるいは、当該固定アーム部に対応する接触接続端子とそれに隣接する接触接続端子との両者に、不所望に押圧接触してしまうことになる事態を、確実に回避することができる。
【００２５】
これよりして、本発明に係るコネクタ装置によれば、全体の低背化と複数のコンタクトについての狭ピッチ化とを、それらに起因してもたらされる不都合を確実に回避できるもとで、効果的に図ることができることになる。
【発明を実施するための最良の形態】
【００２６】
本発明を実施するための最良の形態は、以下に述べられる本発明についての実施例をもって説明される。
【００２７】
図１は、本発明に係るコネクタ装置の一例を、それに差し込まれる平板状配線部材とされるフレキシブル印刷配線基板の部分と共に示す。
【００２８】
図１において、本発明に係るコネクタ装置の一例を成すコネクタ装置１０は、配線基板１１に固着されている。そして、コネクタ装置１０は、合成樹脂等の絶縁材料によって形成された絶縁ハウジング１２を備えており、絶縁ハウジング１２には、配線部材差込み部１３が設けられている。この絶縁ハウジング１２には、例えば、平板状配線部材を成すフレキシブル印刷配線基板１４における接続端子部１５が、配線部材差込み部１３を通じて、その内部に差し込まれる。
【００２９】
図２に示されるように、配線部材差込み部１３を通じて絶縁ハウジング１２内に差し込まれるフレキシブル印刷配線基板１４の接続端子部１５における、絶縁ハウジング１２内に差し込まれたとき配線基板１１に対向することになる面（以下、下面という）には、複数の接触接続端子１６と複数の接触接続端子１７とを含んだ配線パターン部が設けられている。複数の接触接続端子１６は、フレキシブル印刷配線基板１４の接続端子部１５の端縁部分１８に沿って、所定のピッチをもって配列配置されており、また、複数の接触接続端子１７は、複数の接触接続端子１６の近傍において、複数の接触接続端子１６の配列方向と同方向に所定のピッチをもって配列配置されている。
【００３０】
配列配置された複数の接触接続端子１６と同じく配列配置された複数の接触接続端子１７とは、フレキシブル印刷配線基板１４の接続端子部１５における下面上において、フレキシブル印刷配線基板１４の接続端子部１５の絶縁ハウジング１２に対する差込み及び抜出し方向（図１及び図２において矢印Ｓにより示される方向であって、以下、Ｓ方向という。）における位置を異にしており、配列配置された複数の接触接続端子１６は、配列配置された複数の接触接続端子１７に比して、フレキシブル印刷配線基板１４の接続端子部１５の端縁部分１８に近い位置をとるものとされている。そして、複数の接触接続端子１７の夫々は、複数の接触接続端子１６のうちの隣り合う２個の間に対応する位置をとるものとされていて、全体的には、接触接続端子１６と接触接続端子１７とが、Ｓ方向の位置を異にして、交互に配されていると言い得る状態におかれている。
【００３１】
このようなもとで、各接触接続端子１６は、複数の接触接続端子１６の配列方向における幅が、隣接する他の接触接続端子１６との間の間隔より大とされており、また、各接触接続端子１７は、各接触接続端子１６に連結された配線パターンに挟まれて配されることにより、複数の接触接続端子１７の配列方向における幅についての制約を受けて、その幅が、隣接する他の接触接続端子１７との間の間隔より若干小とされている。フレキシブル印刷配線基板１４の接続端子部１５にあっては、上述のようにされることにより、複数の接触接続端子１６及び１７についての狭ピッチ化が図られている。
【００３２】
図１に示されるように、コネクタ装置１０の絶縁ハウジング１２内には、複数のコンタクト２０及び２１が交互に配列配置されている。これらの交互に配列配置された複数のコンタクト２０及び２１は、各々が、Ｓ方向に沿う方向に伸びるものとされ、フレキシブル印刷配線基板１４の接続端子部１５が配線部材差込み部１３を通じて絶縁ハウジング１２内に差し込まれるとき、差し込まれたフレキシブル印刷配線基板１４の接続端子部１５における下面に配列配置された複数の接触接続端子１６及び１７に夫々対応する位置をとるものとされる。
【００３３】
複数のコンタクト２０の夫々は、図１における III−III 線断面をあらわす図３に示されるように、弾性を有した導電性材料で形成された、全体が「Ｈ」字状を成す板状部材とされている。そして、各コンタクト２０は、固定アーム部２２と可動アーム部２３とが連結部２４によって相互連結されていて、それにより、全体として「Ｈ」字状に形成されている。固定アーム部２２は、その一方の端部２２ａが、コネクタ装置１０が固着された配線基板１１に設けられた配線部（図示が省略されている）に接続されている。固定アーム部２２が、その端部２２ａを絶縁ハウジング１２に設けられた配線部材差込み部１３の位置に置いているのに対して、可動アーム部２３は、その配線部材差込み部１３側の一方の端部２３ａを、配線部材差込み部１３から離隔した絶縁ハウジング１２内の位置に置いている。
【００３４】
そして、固定アーム部２２には、連結部２４から離隔した、可動アーム部２３の端部２３ａに対向する部位に、突出接点部２５が設けられており、また、連結部２４の近傍の部位に突起部２６が設けられている。突出接点部２５の突出長と突起部２６の突出長とは、コネクタ装置１０の全体の低背化を図るべく、図３に示されるとおりに極めて小とされるとともに、略同等とされる。
【００３５】
また、複数のコンタクト２１の夫々も、図１におけるIV−IV線断面をあらわす図４に示されるように、弾性を有した導電性材料で形成された、全体が「Ｈ」字状を成す板状部材とされている。そして、各コンタクト２１は、固定アーム部２７と可動アーム部２８とが連結部２９によって相互連結されていて、それにより、全体として「Ｈ」字状に形成されている。固定アーム部２７は、その一方の端部２７ａが、コネクタ装置１０が固着された配線基板１１に設けられた配線部（図示が省略されている）に接続されており、その端部２７ａとは反対側の他方の端部２７ｂを、絶縁ハウジング１２に設けられた配線部材差込み部１３に臨む位置に置いている。また、可動アーム部２８は、その配線部材差込み部１３側の一方の端部２８ａを、配線部材差込み部１３に臨む位置に置いていて、その端部２８ａに固定アーム部２７の端部２７ｂが対向するものとなっている。
【００３６】
そして、固定アーム部２７には、連結部２９から離隔した、配線部材差込み部１３に臨む位置に置かれる端部２７ｂに含まれる部位に、突出接点部３０が設けられており、また、連結部２９の近傍の部位に突起部３１が設けられている。突出接点部３０の突出長と突起部３１の突出長とは、コネクタ装置１０の全体の低背化を図るべく、図４に示されるとおりに極めて小とされるとともに、略同等とされる。
【００３７】
このようにして、交互に配列配置された複数のコンタクト２０及び２１のうちの複数のコンタクト２０が、各々が固定アーム部２２に設けられた突出接点部２５を配線部材差込み部１３から離隔した絶縁ハウジング１２内の位置に置くものとされた、第１のグループを形成しており、また、交互に配列配置された複数のコンタクト２０及び２１のうちの複数のコンタクト２１が、各々が固定アーム部２７に設けられた突出接点部３０を配線部材差込み部１３に臨む位置に置くものとされた、第２のグループを形成している。これらの複数のコンタクト２０及び２１は、隣り合う二つの間の間隔が、前述のフレキシブル印刷配線基板１４の接続端子部１５における下面に設けられた複数の接触接続端子１６及び１７のピッチに対応した小なるものとされて、全体的に、それらについての狭ピッチ化が図られたものとされる。
【００３８】
そして、フレキシブル印刷配線基板１４の接続端子部１５が配線部材差込み部１３を通じて絶縁ハウジング１２内に差し込まれるときには、複数の接触接続端子１６及び１７を含む配線パターン部が設けられた下面を有するフレキシブル印刷配線基板１４の接続端子部１５が、絶縁ハウジング１２内に交互に配列配置された複数のコンタクト２０及び２１の夫々における固定アーム部２２もしくは２７と可動アーム部２３もしくは２８との間に配される。その際、複数のコンタクト２０及び２１は、フレキシブル印刷配線基板１４の接続端子部１５における下面に設けられた複数の接触接続端子１６及び１７に夫々対応するものとなる。
【００３９】
また、コネクタ装置１０には、絶縁ハウジング１２に対して回動可能とされたアクチュエータ４０が備えられている。アクチュエータ４０は、絶縁ハウジング１２における複数のコンタクト２０及び２１の配列方向に伸びる細長い形状をしている。
【００４０】
アクチュエータ４０は、図１，図３及び図４に示されるような、絶縁ハウジング１２に対して起き上がった位置（コネクタ装置１０が固着された配線基板１１に対して起き上がった位置）となる第１の静止位置と、後述される図５，図６及び図７に示されるような、絶縁ハウジング１２に対して伏した位置（コネクタ装置１０が固着された配線基板１１に対して伏した位置）となる第２の静止位置とをとる。そして、アクチュエータ４０に回動操作が加えられるとき、アクチュエータ４０が、第１の静止位置から第２の静止位置への回動移行、あるいは、第２の静止位置から第１の静止位置への回動移行を行うものとされる。
【００４１】
アクチュエータ４０には、図３に示されるような、複数のコンタクト２０に係合するカム部４１が設けられている。カム部４１は、図３に示されるように、断面形状が楕円状とされており、従って、対向端面部間の差渡し寸法が極大となる極大寸法部を有していて、アクチュエータ４０の回動位置の変化に伴って極大寸法部を変位させるものとされている。そして、カム部４１は、複数のコンタクト２０の夫々における固定アーム部２２上に入り込んだ絶縁ハウジング１２の一部１２Ａと当該コンタクト２０における可動アーム部２３とに挟まれて、その可動アーム部２３に係合するものとされている。
【００４２】
さらに、アクチュエータ４０には、図４に示されるような、複数のコンタクト２１に係合するカム部４２も設けられている。カム部４２も、図４に示されるように、断面形状が楕円状とされており、従って、断面における長軸方向に伸びる極大寸法部を有していて、アクチュエータ４０の回動位置の変化に伴って極大寸法部を変位させるものとされている。そして、カム部４２は、複数のコンタクト２１の夫々における固定アーム部２７と可動アーム部２８とに挟まれて、それらの固定アーム部２７及び可動アーム部２８の両者に係合するものとされている。
【００４３】
このようなもとで、図５に示されるように、フレキシブル印刷配線基板１４の接続端子部１５が、絶縁ハウジング１２内に配線部材差込み部１３を通じてＳ方向に沿って差し込まれる。そして、フレキシブル印刷配線基板１４の接続端子部１５が絶縁ハウジング１２内に差し込まれた後、アクチュエータ４０が、それに対する回動操作により回動せしめられて、図５に示されるように、第１の静止位置から第２の静止位置に移行すると、複数のコンタクト２０及び２１が、絶縁ハウジング１２内に差し込まれたフレキシブル印刷配線基板１４の接続端子部１５における下面に設けられた複数の接触接続端子１６及び１７に夫々押圧接触するものとされる。
【００４４】
斯かる際においては、先ず、アクチュエータ４０が第１の静止位置をとるもとにおいて、フレキシブル印刷配線基板１４の接続端子部１５が、絶縁ハウジング１２内に配線部材差込み部１３を通じて、例えば、端縁部分１８が、複数のコンタクト２０の夫々における連結部２４の近傍に達するとともに、複数のコンタクト２１の夫々における連結部２９に当接するまで、差し込まれる。絶縁ハウジング１２内に差し込まれたフレキシブル印刷配線基板１４の接続端子部１５は、絶縁ハウジング１２内に交互に配列配置された複数のコンタクト２０及び２１に対して、複数のコンタクト２０の夫々の固定アーム部２２と可動アーム部２３とに挟まれるとともに、複数のコンタクト２１の夫々の固定アーム部２７と可動アーム部２８とに挟まれる位置におかれる。
【００４５】
続いて、第１の静止位置をとるアクチュエータ４０が、回動操作により、第１の静止位置から第２の静止位置に移行すべく回動せしめられる。斯かるアクチュエータ４０の第１の静止位置から第２の静止位置に移行する回動に伴って、アクチュエータ４０に設けられたカム部４１及び４２の夫々が、その極大寸法部を変位させるものとされる。
【００４６】
このとき、カム部４１は、図５におけるVI−VI線断面をあらわす図６に示されるように、アクチュエータ４０の回動に伴って極大寸法部の方向を変化させつつ、複数のコンタクト２０の夫々の可動アーム部２３に係合し、その可動アーム部２３を変位させる。そして、カム部４１は、可動アーム部２３に極大寸法部をもって作用するとき、その可動アーム部２３に、端部２３ａによってフレキシブル印刷配線基板１４の接続端子部１５を当該コンタクト２０の固定アーム部２２側に向けて押圧する状態をとらせる。
【００４７】
また、カム部４２は、図５における VII−VII 線断面をあらわす図７に示されるように、アクチュエータ４０の回動に伴って極大寸法部の方向を変化させつつ、複数のコンタクト２１の夫々の可動アーム部２８に係合し、その可動アーム部２８を変位させる。そして、カム部４２は、可動アーム部２８に極大寸法部をもって作用するとき、その可動アーム部２８に、端部２８ａによってフレキシブル印刷配線基板１４の接続端子部１５を当該コンタクト２１の固定アーム部２７側に向けて押圧する状態をとらせる。
【００４８】
それにより、フレキシブル印刷配線基板１４の接続端子部１５における下面に設けられた接触接続端子１６が、それに対応するコンタクト２０の固定アーム部２２に設けられた突出接点２５に押圧接触する状態におかれるとともに、フレキシブル印刷配線基板１４の接続端子部１５における下面に設けられた接触接続端子１７が、それに対応するコンタクト２１の固定アーム部２７に設けられた突出接点３０に押圧接触する状態におかれる。その結果、絶縁ハウジング１２内に差し込まれたフレキシブル印刷配線基板１４の接続端子部１５における下面に設けられた複数の接触接続端子１６及び１７が、絶縁ハウジング１２内に配列配置された複数のコンタクト２０及び２１に夫々接触接続され、複数のコンタクト２０及び２１を介して、配線基板１１に設けられた配線部に連結されることになる。
【００４９】
また、このとき、その端縁部分１８が、複数のコンタクト２０の夫々における連結部２４の近傍に達するとともに、複数のコンタクト２１の夫々における連結部２９に当接するまで、絶縁ハウジング１２内に差し込まれたフレキシブル印刷配線基板１４の接続端子部１５が、その下面における、複数の接触接続端子１６及び１７を含んだ配線パターン部が設けられていない、端縁部分１８の近傍の部分を、複数のコンタクト２０の夫々における固定アーム部２２における連結部２４の近傍の部位に設けられた突起部２６、及び、複数のコンタクト２１の夫々における固定アーム部２７における連結部２９の近傍の部位に設けられた突起部３１に、押圧接触させる状態におかれる。それにより、フレキシブル印刷配線基板１４の接続端子部１５における下面に設けられた複数の接触接続端子１６及び１７を含んだ配線パターン部と、複数のコンタクト２０の夫々の固定アーム部２２における突出接点部２５を除く部分及び複数のコンタクト２１の夫々の固定アーム部２７における突出接点部３０を除く部分との間に、極めて小なものではあるがクリアランスが確実に形成される。
【００５０】
このように、複数のコンタクト２０の夫々における固定アーム部２２に設けられた突起部２６及び複数のコンタクト２１の夫々における固定アーム部２７に設けられた突起部３１は、絶縁ハウジング１２内に差し込まれたフレキシブル印刷配線基板１４の接続端子部１５における下面に設けられた複数の接触接続端子１６及び１７を含んだ配線パターン部に、複数のコンタクト２０の夫々の固定アーム部２２における突出接点部２５を除く部分及び複数のコンタクト２１の夫々の固定アーム部２７における突出接点部３０を除く部分が、不所望に接触してしまう事態の発生を回避する役割を果たしている。
【００５１】
図８は、フレキシブル印刷配線基板１４の接続端子部１５が、絶縁ハウジング１２内に、複数の接触接続端子１６及び１７の複数のコンタクト２０及び２１に対する位置ズレを生じることなく、適正に差し込まれた場合における、各接触接続端子１６と各コンタクト２０の固定アーム部２２との位置関係及び各接触接続端子１７と各コンタクト２１の固定アーム部２７との位置関係を示す。斯かるもとでは、各接触接続端子１６と各コンタクト２０の固定アーム部２２とが適正に相互対応する位置におかれて、接触接続端子１６が固定アーム部２２に設けられた突出接点部２５に押圧接触し、また、各接触接続端子１７と各コンタクト２１の固定アーム部２７とが適正に相互対応する位置におかれて、接触接続端子１７が固定アーム部２７に設けられた突出接点部３０に押圧接触する状態におかれる。
【００５２】
それに対して、図９は、フレキシブル印刷配線基板１４の接続端子部１５が、絶縁ハウジング１２内に、複数の接触接続端子１６及び１７の複数のコンタクト２０及び２１に対する矢印Ｘにより示される方向の位置ズレを伴って差し込まれた場合における、各接触接続端子１６と各コンタクト２０の固定アーム部２２との位置関係及び各接触接続端子１７と各コンタクト２１の固定アーム部２７との位置関係を示す。斯かるもとでは、各接触接続端子１６と各コンタクト２０の固定アーム部２２とが、また、各接触接続端子１７と各コンタクト２１の固定アーム部２７とが、夫々適正に相互対応する位置におかれず、例えば、接触接続端子１６におけるハッチングが付された部分とコンタクト２１の固定アーム部２７とが相互対応する位置におかれ、また、接触接続端子１７におけるハッチングが付された部分とコンタクト２０の固定アーム部２２とが相互対応する位置におかれる。
【００５３】
従って、仮に、コンタクト２０の固定アーム部２２における突出接点部２５を除く部分及びコンタクト２１の固定アーム部２７における突出接点部３０を除く部分が接触接続端子１６及び１７に接触する状態にあるとすると、接触接続端子１６におけるハッチングが付された部分にコンタクト２１の固定アーム部２７における突出接点部３０を除く部分が不所望に接触してしまい、また、接触接続端子１７におけるハッチングが付された部分にコンタクト２０の固定アーム部２２における突出接点部２５を除く部分が不所望に接触してしまうという不都合が生じる。
【００５４】
しかしながら、実際には、コネクタ装置１０にあっては、各コンタクト２０における固定アーム部２２に設けられた突起部２６及び各コンタクト２１における固定アーム部２７に設けられた突起部３１が、接触接続端子１６及び１７を含んだ配線パターン部に、コンタクト２０の固定アーム部２２における突出接点部２５を除く部分、及び、コンタクト２１の固定アーム部２７における突出接点部３０を除く部分が不所望に接触してしまう事態の発生を回避する役割を果たすので、たとえ、図９に示される位置ズレ状態が生じたとしても、接触接続端子１６におけるハッチングが付された部分にコンタクト２１の固定アーム部２７における突出接点部３０を除く部分が不所望に接触してしまい、また、接触接続端子１７におけるハッチングが付された部分にコンタクト２０の固定アーム部２２における突出接点部２５を除く部分が不所望に接触してしまう、という不都合は回避される。
【００５５】
上述のように、コネクタ装置１０によれば、複数のコンタクト２０の夫々における固定アーム部２２における連結部２４の近傍の部位に突起部２６が設けられ、また、複数のコンタクト２１の夫々における固定アーム部２７における連結部２９の近傍の部位に突起部３１が設けられることにより、各コンタクト２０の固定アーム部２２に設けられた突出接点部２５及び突起部２６及び各コンタクト２１の固定アーム部２７に設けられた突出接点部３０及び突起部３１の夫々の突出長が極めて小とされて全体の低背化が図られ、また、接触接続端子１６及び１７についての狭ピッチ化が図られたフレキシブル印刷配線基板１４の接続端子部１５に応じて、配列配置された複数のコンタクト２０及び２１についての狭ピッチ化が図られたもとにあっても、各コンタクト２０の固定アーム部２２における突出接点部２５を除く部分もしくは各コンタクト２１の固定アーム部２７における突出接点部３０を除く部分が、フレキシブル印刷配線基板１４の接続端子部１５における下面に配された接触接続端子１６及び１７を含む配線パターン部に不所望に接触し、例えば、複数の配線パターン間の短絡を生じるさせる事態を、確実に回避することができる。
【００５６】
それに加えて、コネクタ装置１０によれば、複数のコンタクト２０及び２１についてのより一層の狭ピッチ化が図られても、各コンタクト２０の固定アーム部２２に設けられた突起部２６及び各コンタクト２１の固定アーム部２７に設けられた突起部３１によって、各コンタクト２０の固定アーム部２２における突出接点部２５を除く部分及び各コンタクト２１の固定アーム部２７における突出接点部３０を除く部分と絶縁ハウジング１２内に差し込まれたフレキシブル印刷配線基板１４の接続端子部１５における下面に配された接触接続端子１６及び１７を含む配線パターン部との間に所定のクリアランスが形成されるので、フレキシブル印刷配線基板１４の接続端子部１５の絶縁ハウジング１２内への差込み時に生じた、接触接続端子１６及び１７とそれに対応するコンタクト２０における固定アーム部２２及びコンタクト２１における固定アーム部２７との間の微細な位置ズレに起因して、コンタクト２０における固定アーム部２２における突出接点部２５を除く部分もしくはコンタクト２１における固定アーム部２７における突出接点部３０を除く部分が、それに対応する接触接続端子１６もしくは１７に隣接する接触接続端子１７もしくは１６に、あるいは、それに対応する接触接続端子１６もしくは１７とそれに隣接する接触接続端子１７もしくは１６との両者に、不所望に押圧接触してしまうことになる事態を、確実に回避することができる。
【００５７】
上述のような、本発明に係るコネクタ装置の一例を成すコネクタ装置１０においては、複数のコンタクト２０の夫々の固定アーム部２２に突起部２６が設けられ、また、複数のコンタクト２１の夫々の固定アーム部２７に突起部３１が設けられているが、本発明に係るコネクタ装置は、複数のコンタクト２０に対応する複数のコンタクトのうちの一部のものの固定アーム部に突起部が設けられ、また、複数のコンタクト２１に対応する複数のコンタクトのうちの一部のものの固定アーム部に突起部が設けられるものとされてもよい。
【００５８】
また、上述の本発明に係るコネクタ装置の一例を成すコネクタ装置１０においては、絶縁ハウジング１２内において複数のコンタクト２０と複数のコンタクト２１とが交互に配列配置されているが、複数のコンタクト２０及び複数のコンタクト２１は、交互に配されなくてはならないというものではない。
【００５９】
さらに、上述の本発明に係るコネクタ装置の一例を成すコネクタ装置１０においては、複数のコンタクト２０の夫々と複数のコンタクト２１の夫々とが、寸法及び形状を互いに異にするものとされているが、本発明に係るコネクタ装置は、複数のコンタクト２０及び複数のコンタクト２１に相当する複数のコンタクトの全てを略同じ寸法及び形状を有するものとして、構成され得るものである。
【産業上の利用可能性】
【００６０】
以上のような本発明に係るコネクタ装置は、例えば、フレキシブル印刷配線基板の他の配線基板への取付けに用いられる、複数のコンタクトとそれらに係合し、回動操作されるとき複数のコンタクトの夫々における可動部を変位させるアクチュエータとを備えたコネクタ装置であって、全体の低背化と複数のコンタクトについての狭ピッチ化とを、それらに起因してもたらされる不都合を確実に回避できるもとで、効果的に図ることができることになるものとして、様々な電子機器等に広く適用され得るものである。
【図面の簡単な説明】
【００６１】
【図１】本発明に係るコネクタ装置の一例を、それが固着された配線基板の部分及びそれに差し込まれるフレキシブル印刷配線基板の接続端子部と共に示す斜視図である。
【図２】図１に示されるフレキシブル印刷配線基板の接続端子部に設けられる接触接続端子を含む配線パターン部を示す平面図である。
【図３】図１における III−III 線断面をあらわす断面図である。
【図４】図１におけるIV−IV線断面をあらわす断面図である。
【図５】本発明に係るコネクタ装置の一例における絶縁ハウジング内にフレキシブル印刷配線基板の接続端子部が差し込まれた状態を示す斜視図である。
【図６】図５におけるVI−VI線断面をあらわす断面図である。
【図７】図５における VII−VII 線断面をあらわす断面図である。
【図８】本発明に係るコネクタ装置の一例における絶縁ハウジング内にフレキシブル印刷配線基板の接続端子部が差し込まれたもとにおける、複数の接触接続端子と複数のコンタクトの固定アーム部との位置関係を示す平面図である。
【図９】本発明に係るコネクタ装置の一例における絶縁ハウジング内にフレキシブル印刷配線基板の接続端子部が差し込まれたもとにおける、複数の接触接続端子と複数のコンタクトの固定アーム部との位置関係を示す平面図である。
【符号の説明】
【００６２】
１０・・・コネクタ装置，  １１・・・配線基板，  １２・・・絶縁ハウジング，  １３・・・配線部材差込み部，  １４・・・フレキシブル印刷配線基板，  １５・・・接続端子部，  １６，１７・・・接触接続端子，  １８・・・端縁部分，  ２０，２１・・・コンタクト，  ２２，２７・・・固定アーム部，  ２３，２８・・・可動アーム部，  ２４，２９・・・連結部，  ２５，３０・・・突出接点部，  ２６，３１・・・突起部，  ４０・・・アクチュエータ，  ４１，４２・・・カム部
【図１】
2010135085.tif 000003
【図２】
2010135085.tif 000004
【図３】
2010135085.tif 000005
【図４】
2010135085.tif 000006
【図５】
2010135085.tif 000007
【図６】
2010135085.tif 000008
【図７】
2010135085.tif 000009
【図８】
2010135085.tif 000010
【図９】
2010135085.tif 000011